(57)【要約】【課題】部品が基板上により良好な状態で接合された電子機器、基板アセンブリ、および半導体装置を得る。【解決手段】実施形態にかかる電子機器にあっては、筐体と、筐体内に設けられ、表面に露出した第一のパッドおよび第二のパッドを有した基板と、基板の表面に対向する基板対向面に露出して接合剤を介して第一のパッドに接合された第一の電極と、基板対向面に露出して接合剤を介して第二のパッドに接合されて第一の電極より広くかつ第一の電極より高く突出した第二の電極と、を有した部品と、を備えたことを特徴の一つとする。【選択図】図２
2012064721.tif 000002
【特許請求の範囲】
【請求項１】
筐体と、
前記筐体内に設けられ、表面に露出した第一のパッドおよび第二のパッドを有した基板と、
前記基板の前記表面に対向する基板対向面に露出して接合剤を介して前記第一のパッドに接合された第一の電極と、前記基板対向面に露出して接合剤を介して前記第二のパッドに接合されて前記第一の電極より広くかつ前記第一の電極より高く突出した第二の電極と、を有した部品と、
を備えた電子機器。
【請求項２】
前記第一の電極と前記第一のパッドとを接合した前記接合剤の厚さが、前記第二の電極と前記第二のパッドとを接合した前記接合剤の厚さより大きいことを特徴とする請求項１に記載の電子機器。
【請求項３】
前記第二のパッドが、前記表面上では相互に隔離された複数のパッド部を有したことを特徴とする請求項１または２に記載の電子機器。
【請求項４】
前記第一の電極および前記第二の電極が、前記基板対向面から突出したことを特徴とする請求項１〜３のうちいずれか一つに記載の電子機器。
【請求項５】
前記第一の電極が信号電極であり、かつ前記第二の電極が放熱電極であることを特徴とする請求項１〜４のうちいずれか一つに記載の電子機器。
【請求項６】
前記第一の電極と前記第一のパッドとを接合した接合剤の、当該接合剤が接合された前記第一の電極の単位面積あたりの体積が、前記第二の電極と前記第二のパッドとを接合した接合剤の、当該接合剤が接合された前記第二の電極の単位面積あたりの体積より、大きいことを特徴とする請求項１〜５のうちいずれか一つに記載の電子機器。
【請求項７】
前記第一の電極と前記第二の電極との突出高さの差を、ΔＨとし、
前記第一の電極と前記第一のパッドとを接合した接合剤の、当該接合剤が接合された前記第一の電極の単位面積あたりの体積を、Ｈｃとし、
前記第二の電極と前記第二のパッドとを接合した接合剤の、当該接合剤が接合された前記第二の電極の単位面積あたりの体積を、Ｈｂとしたとき、
０．５（Ｈｃ−Ｈｂ）＜ ΔＨ ＜１．５（Ｈｃ−Ｈｂ）
であることを特徴とする請求項６に記載の電子機器。
【請求項８】
筐体と、
前記筐体内に設けられ、表面に露出した第一のパッドおよび第二のパッドを有した基板と、
接合剤を介して前記第一のパッドに接合された第一の電極と、接合剤を介して前記第二のパッドに接合された第二の電極と、を有した部品と、
を備え、
前記第一の電極とこれに前記接合剤を介して接合された前記第一のパッドとの間の第一の距離が、前記第二の電極とこれに前記接合剤を介して接合された前記第二のパッドとの間の第二の距離より大きいことを特徴とする電子機器。
【請求項９】
表面に露出した第一のパッドおよび第二のパッドを有した基板と、
前記基板の前記表面に対向する基板対向面に露出して接合剤を介して前記第一のパッドに接合された第一の電極と、前記基板対向面に露出して接合剤を介して前記第二のパッドに接合されて前記第一の電極より広い第二の電極と、を有した部品と、
を備え、
前記第二の電極が前記第一の電極より前記基板側へ突出したことを特徴とする基板アセンブリ。
【請求項１０】
基板対向面に露出した第一の電極と、
前記基板対向面に露出して前記第一の電極より広くかつ前記第一の電極より突出した第二の電極と、
を有したことを特徴とする半導体装置。
【発明の詳細な説明】
【技術分野】
【０００１】
本発明の実施形態は、電子機器、基板アセンブリ、および半導体装置に関する。
【背景技術】
【０００２】
従来、基板と当該基板の表面上にはんだ付けされた部品とを含む基板アセンブリが筐体内に収容された電子機器が知られている。
【先行技術文献】
【特許文献】
【０００３】
【特許文献１】特開２００９−１０５２１２号公報
【発明の概要】
【発明が解決しようとする課題】
【０００４】
この種の電子機器では、部品が基板上により良好な状態で接合されることが望まれている。
【０００５】
そこで、本発明の実施形態は、部品が基板上により良好な状態で接合された電子機器、基板アセンブリ、および半導体装置を得ることを目的の一つとする。
【課題を解決するための手段】
【０００６】
本発明の実施形態にかかる電子機器にあっては、筐体と、前記筐体内に設けられ、表面に露出した第一のパッドおよび第二のパッドを有した基板と、前記基板の前記表面に対向する基板対向面に露出して接合剤を介して前記第一のパッドに接合された第一の電極と、前記基板対向面に露出して接合剤を介して前記第二のパッドに接合されて前記第一の電極より広くかつ前記第一の電極より高く突出した第二の電極と、を有した部品と、を備えたことを特徴の一つとする。
【図面の簡単な説明】
【０００７】
【図１】図１は、一実施形態にかかる電子機器の斜視図である。
【図２】図２は、一実施形態にかかる電子機器に含まれる基板アセンブリの一部の断面図である。
【図３】図３は、図２の基板アセンブリに含まれる部品（半導体装置）の断面図である。
【図４】図４は、図３の部品を基板対向面側から見た平面図である。
【図５】図５は、図２の基板アセンブリの製造工程を（ａ）〜（ｅ）の順に示す説明図である。
【図６】図６は、図３の部品の製造工程を（ａ）〜（ｆ）の順に示す断面図である。
【図７】図７は、一実施形態にかかる電子機器に含まれる部品（半導体装置）の変形例を示す断面図である。
【図８】図８は、一実施形態にかかる電子機器に含まれる部品（半導体装置）の別の変形例を示す断面図である。
【図９】図９は、一実施形態にかかる電子機器に含まれる基板アセンブリの変形例の一部の断面図である。
【図１０】図１０は、図９の基板アセンブリの変形例で用いられる基板に設けられたパッドの平面図である。
【発明を実施するための形態】
【０００８】
以下、図面を参照して、本発明の一実施形態について詳細に説明する。図１に示すように、本実施形態にかかる電子機器１は、所謂ノート型のパーソナルコンピュータとして構成されており、矩形状の扁平な第一の本体部２と、矩形状の扁平な第二の本体部３と、を備えている。これら第一の本体部２および第二の本体部３は、ヒンジ部４を介して、回動軸Ａｘ回りに図１に示す展開状態と図示しない折り畳み状態との間で相対回動可能に、接続されている。
【０００９】
第一の本体部２には、筐体２ａの外面としての表面２ｂ側に露出する状態で、入力受付部としてのキーボード５や、ポインティングデバイス７、クリックボタン８等が設けられている。一方、第二の本体部３には、筐体３ａの外面としての表面３ｂに設けられた開口部３ｃから露出する状態で、部品としてのＬＣＤ（Liquid Crystal Display）等の表示装置としてのディスプレイ６が設けられている。図１に示すような展開状態では、キーボード５や、ディスプレイ６、ポインティングデバイス７、クリックボタン８等が露出して、ユーザが使用可能な状態となる。一方、折り畳み状態（図示せず）では、表面２ｂ，３ｂ同士が相互に近接した状態で対向して、キーボード５や、ディスプレイ６、ポインティングデバイス７、クリックボタン８等が、筐体２ａ，３ａによって隠された状態となる。
【００１０】
また、第一の本体部２の筐体２ａの内部には、基板９にＣＰＵ（Central Processing Unit）や、ＲＯＭ（Read Only Memory）、ＲＡＭ（Random Access Memory）、その他の部品１０（図２等参照）が実装された基板アセンブリ１１や、ハードディスク（図示せず）、冷却ファン（図示せず）等の部品が収容されている。
【００１１】
図２に示すように、基板アセンブリ１１では、プリント基板としての基板９の表面９ａに、はんだ等の接合剤１２によって、部品１０が接合されている。部品１０は、基板９の上側の表面９ａのみならず、下側の表面（裏面）９ａにも、実装されうる。また、接合剤１２としては、はんだの他、導電性接着剤等を用いることもできる。
【００１２】
図２に例示される部品１０は、ＬＧＡ (Land Grid Array)やＱＦＮ(Quad Flat No lead package)等の表面実装型の半導体装置である。この部品１０の、基板９の表面９ａに対向した矩形状（正方形状）の基板対向面１０ａには、図３にも示すように、電極１０ｂ，１０ｃが露出している。
【００１３】
図４に示すように、電極１０ｂは、基板対向面１０ａの中央部に位置して矩形状に形成されている。電極１０ｂは、部品１０の内部から外部へ熱を放出する放熱電極として機能している。また、この電極１０ｂは、グラウンド電極として機能することができる。なお、電極１０ｂは、グラウンド電極として使用されない場合もある。本実施形態では、電極１０ｂが第二の電極に相当する。
【００１４】
そして、電極１０ｂの辺と基板対向面１０ａの辺との間の矩形環状の領域に、複数の電極１０ｃが露出している。複数の電極１０ｃが、電極１０ｂを挟んだ両側に位置している。また、これら複数の電極１０ｃは、電極１０ｂの周囲を取り囲むように配置されている。電極１０ｃは、信号電極として機能することができる。なお、一部の電極１０ｃは、信号電極として使用されない場合もある。本実施形態では、電極１０ｃが第一の電極に相当する。
【００１５】
電極１０ｂ，１０ｃは、それぞれに対向して基板９の表面９ａ上に露出したパッド９ｂ，９ｃに、接合剤１２を介して接合される。本実施形態では、パッド９ｂが第二のパッドに相当し、パッド９ｃが第一のパッドに相当する。
【００１６】
また、図２〜４に示すように、本実施形態では、電極１０ｂの面積（接合面１０ｄの面積）は、電極１０ｃの面積（接合面１０ｅの面積）より広い。そして、電極１０ｂが、電極１０ｃより基板９の表面９ａ側に突出している。具体的には、電極１０ｂの頂面としての平面状の接合面１０ｄが、電極１０ｃの頂面としての平面状の接合面１０ｅより、突出している。なお、図２，３の例では、接合面１０ｅは、基板対向面１０ａからは突出せず、基板対向面１０ａと連なっている。
【００１７】
仮に、従来のように、電極１０ｂと電極１０ｃとでそれらの突出高さが同じであった場合、電極１０ｂ，１０ｃの全面に同じ高さの接合剤１２をそれぞれ塗布すると、電極１０ｂの面積が電極１０ｃの面積より大きい分、電極１０ｂとパッド９ｂとを接合する接合剤１２の体積が、電極１０ｃとパッド９ｃとを接合する接合剤１２の体積より大きくなる。この場合には、相対的に体積が大きい接合剤１２の凝集等の影響によって部品１０がずれたり傾いたりしやすくなり、電極１０ｃとパッド９ｃとの接合状態にばらつきが生じやすくなる。例えば、部品１０の傾きによって相互に近づいた電極１０ｃおよびパッド９ｃでは、その周囲に接合剤１２が漏れて隣接した電極１０ｃあるいはパッド９ｃとの間でショートが生じやすくなり、部品１０の傾きによって相互に離れた電極１０ｃおよびパッド９ｃでは、接合剤１２が不足して接触不良や非接触が生じやすくなる。
【００１８】
上述した部品１０のずれや傾きは、電極１０ｂとパッド９ｂとを接合する接合剤１２の体積（電極１０ｂの単位面積あたりの体積）を減らすことで、解消しやすくなる。しかし、流動性を有した状態の接合剤１２は、その表面張力（分子間力）により、電極１０ｂの接合面１０ｄおよびパッド９ｂの接合面９ｄに沿って濡れ広がって、電極１０ｂとパッド９ｂとの間の空間を接合剤１２で満たそうとする。この際、接合剤１２の表面張力（分子間力）によって、電極１０ｂとパッド９ｂとは相互に近づくことになる。一方、部品１０がより小さくなって電極１０ｃがより小さくなるほど、製造歩留まりおよび接続信頼性の面で、電極１０ｃとパッド９ｃとの間の接合剤１２の体積は減らしにくくなる。このようなことから、電極１０ｃとパッド９ｃとの間の接合剤１２の体積（電極１０ｃの単位面積あたりの体積）を減らさず、電極１０ｂとパッド９ｂとを接合する接合剤１２の体積（電極１０ｂの単位面積あたりの体積）のみを減らしたような場合には、接合剤１２の表面張力（分子間力）によって電極１０ｂとパッド９ｂとが相互に近づくことにより、電極１０ｃとパッド９ｃとが近づき過ぎることになり、電極１０ｃとパッド９ｃとを接合する接合剤１２がその周囲に漏れて、電極１０ｃまたはパッド９ｃとそれらに隣接した電極１０ｃまたはパッド９ｃとの間で、ショートが生じやすくなる。
【００１９】
この点、本実施形態の図２，３の例では、電極１０ｂが電極１０ｃより基板９の表面９ａ側に突出している分、電極１０ｂとパッド９ｂとの間の接合剤１２で満たされる空間の体積をより小さくすることができる。よって、上述したような、電極１０ｃとパッド９ｃとの間の接合剤１２の体積（電極１０ｃの単位面積あたりの体積）を減らさず、電極１０ｂとパッド９ｂとを接合する接合剤１２の体積（電極１０ｂの単位面積あたりの体積）のみを減らしたような場合でも、電極１０ｂとパッド９ｂとの間の接合剤１２の厚さと電極１０ｂの突出高さとを合計した距離を、電極１０ｃとパッド９ｃとの間で確保しやすくなるため、上述した電極１０ｃとパッド９ｃとが近づき過ぎることによる接合不良を抑制しやすくなる。
【００２０】
以上のような理由から、本実施形態では、電極１０ｂが電極１０ｃより基板９の表面９ａ側に突出している。また、本実施形態では、電極１０ｃの接合面１０ｅとパッド９ｃの接合面９ｅとの間の距離が、電極１０ｂの接合面１０ｄとパッド９ｂの接合面９ｄとの間の距離より大きい。また、本実施形態では、電極１０ｃとパッド９ｃとを接合した接合剤１２の厚さが、電極１０ｂとパッド９ｂとを接合した接合剤１２の厚さより大きい。そして、本実施形態では、電極１０ｃとパッド９ｃとを接合する接合剤１２の、電極１０ｃの単位面積あたりの接合剤１２の体積が、電極１０ｂとパッド９ｂとを接合する接合剤１２の、電極１０ｂの単位面積あたりの体積より大きい。
【００２１】
ここで、図５を参照して、図２の基板アセンブリ１１の製造方法、すなわち、基板９への部品１０の接合方法について説明する。
【００２２】
まず、図５の（ａ）に示すように、表面９ａに部品１０の電極１０ｂ，１０ｃに対応するパッド９ｂ，９ｃが設けられた基板９が、所定の位置にセットされる（基板のセット工程）。次に、図５の（ｂ）に示すように、基板９の表面９ａ上に、貫通孔１３ａが設けられたマスク１３がセットされる（マスクのセット工程）。マスク１３は、厚さＴｈが一定の平板状に形成される。貫通孔１３ａは、パッド９ｂ，９ｃ上に配置される。次に、貫通孔１３ａ内にある程度流動性がある状態で接合剤１２が充填される。このとき、複数の貫通孔１３ａについて、接合剤１２の高さは一定であり、マスク１３の厚さＴｈと同じである（接合剤の充填工程）。次に、図５の（ｃ）に示すように、マスク１３が取り外され、接合剤１２がパッド９ｂ，９ｃ上に残される。このようにして、接合剤１２がパッド９ｂ，９ｃ上に塗布される（接合剤のセット（塗布）工程）。次に、図５の（ｄ）に示すように、部品１０が接合剤１２が塗布された基板９の所定の位置に乗せられる（部品のマウント工程）。次に、図５の（ｄ）のように基板９に部品１０が乗せられた状態で、リフロー処理が施され（リフロー工程）、冷却されて（固化工程）、図５の（ｅ）および図２に示す基板アセンブリ１１が得られる。
【００２３】
図５の例では、電極１０ｂ，１０ｃの単位面積あたりの接合剤１２の体積は、マスク１３の貫通孔１３ａの、電極１０ｂ，１０ｃの面積Ｓｂ，Ｓｃに対する開口面積の比率（開口率αｂ，αｃ）で調整することができる。
【００２４】
接合剤１２の塗布時に対する固化時の揮発成分の消失等に伴う体積の変化率をβ（Ｖ→β・Ｖ）とすると、固化された状態での電極１０ｂとパッド９ｂとを接合する接合剤１２の体積Ｖｂは、
Ｖｂ＝αｂ×Ｓｂ×Ｔｈ×β  ・・・  （１）
となる。よって、固化された状態での電極１０ｂとパッド９ｂとを接合する接合剤１２の、電極１０ｂの単位面積あたりの体積Ｈｂは、
Ｈｂ＝Ｖｂ／Ｓｂ＝αｂ×Ｔｈ×β  ・・・（２）
となる。
【００２５】
一方、固化された状態での電極１０ｃとパッド９ｃとを接合する接合剤１２の体積Ｖｃは、
Ｖｃ＝αｃ×Ｓｃ×Ｔｈ×β  ・・・  （３）
となる。よって、固化された状態での電極１０ｃとパッド９ｃとを接合する接合剤１２の、電極１０ｃの単位面積あたりの体積Ｈｃは、
Ｈｃ＝Ｖｃ／Ｓｃ＝αｃ×Ｔｈ×β  ・・・（４）
となる。
【００２６】
発明者の研究により、電極１０ｂ，１０ｃの突出高さの差ΔＨ（図２参照）は、接合剤１２の電極１０ｂ，１０ｃの単位面積あたりの体積の差（Ｈｃ−Ｈｂ）に対して、
０．５（Ｈｃ−Ｈｂ）＜ ΔＨ ＜１．５（Ｈｃ−Ｈｂ） ・・・（５）
であれば、電極１０ｂ，１０ｃの双方で接合剤１２の接合状態が良好であることが判明した。さらに、
０．８（Ｈｃ−Ｈｂ）＜ ΔＨ ＜１．２（Ｈｃ−Ｈｂ） ・・・（６）
であれば、より一層好ましいことが判明した。そして、電極１０ｂ，１０ｃの突出高さの差ΔＨが、電極１０ｂ，１０ｃの単位面積あたりの高さの差（Ｈｃ−Ｈｂ）に近いほど、すなわち、
Ｈｃ−Ｈｂ≒ΔＨ  ・・・（７）
または、
Ｈｃ−Ｈｂ＝ΔＨ  ・・・（８）
である場合に、特に良好であることが判明した。また、具体的には、ΔＨは、１０〜１５０［μｍ］（マイクロメートル）であるのが好ましく、２０〜８０［μｍ］であるのがより一層好ましいことが判明した。なお、電極１０ｃに対応する開口率αｃは、１（＝１００％）であるのが好ましい。
【００２７】
なお、パッド９ｂが複数のパッド部９ｆに分割された構成では（図９，１０参照）、パッド９ｂの面積Ｓｂ’が支配的となる場合がある。このような場合は、パッド９ｂの面積Ｓｂ’に対するマスク１３の貫通孔１３ａの開口率をαｂ’とすると、固化された状態での電極１０ｂとパッド９ｂとを接合する接合剤１２の体積Ｖｂは、
Ｖｂ＝αｂ’×Ｓｂ’×Ｔｈ×β  ・・・  （１）’
となる。よって、固化された状態での電極１０ｂとパッド９ｂとを接合する接合剤１２の、電極１０ｂの単位面積あたりの体積Ｈｂは、
Ｈｂ＝Ｖｂ／Ｓｂ’＝αｂ’×Ｔｈ×β  ・・・（２）’
となる。
【００２８】
一般に、接合剤１２の体積が大きいほどボイドが抜けにくくなる。図５のように、接合剤１２を分割することで、各接合剤１２のボイドを低減することができる。しかしながら、分割した接合剤１２同士の間の空間に存在したエアが接合剤１２中に巻き込まれるなどにより、接合剤１２中にボイドが残存してしまう場合がある。この点、本実施形態では、電極１２ｂが突出している分、突出していない場合と比べて、電極１０ｂとパッド９ｂの距離が小さいため、接合剤１２が（図の横方向）に濡れ広がりやすく、接合剤１２間のエアを排出しやすくなっている。
【００２９】
次に、図６を参照して、図３の部品（半導体装置）１０の製造方法について説明する。
【００３０】
まずは、図６の（ａ）に示すようなリードフレームの元となる平板状の金属導体（例えば銅等）１４が加工され、図６の（ｂ）に示すような電極１０ｂに対応する凸部１４ａ（電極１０ｂ，１０ｃに対応する段差）が形成される。凸部１４ａは、プレスや、切削、エッチング等で形成することができる（凸部形成工程、段差形成工程）。
【００３１】
次に、図６の（ｃ）に示すように、金属導体１４の下面１４ｂの、電極１０ｂ，１０ｃとなる部分に、選択的に、例えばメッキにより、薄膜（例えば金等）１４ｄが設けられる（電極表面の薄膜の形成工程）。
【００３２】
次に、図６の（ｄ）に示すように、金属導体１４の上面１４ｃにチップ本体（ダイ）１５が接合剤１６を介してマウントされ（チップマウント工程）、チップ本体１５に設けられた信号パッド（図示せず）と電極（端子）１０ｃとがワイヤ１７によってボンディングされる（ワイヤボンディング工程）。
【００３３】
次に、図６の（ｅ）に示すように、合成樹脂材料等を含むモールド剤やアンダーフィル剤等の封止部材１８によって、チップ本体１５がマウントされた金属導体１４の周囲が封止される。図６の例では、電極１０ｂ，１０ｃおよびそれらの接続部分１４ｅは下方に露出した状態で、主としてチップ本体１５および金属導体１４の上方側が封止される（封止工程）。
【００３４】
そして、図６の（ｆ）に示すように、金属導体１４の接続部分１４ｅ等の不要な部分がエッチングされ（エッチング工程）、部品１０が得られる。
【００３５】
以上のように、本実施形態では、電極１０ｂが電極１０ｃより基板９側により高く突出している。基板アセンブリ１１では、電極１０ｃとパッド９ｃとを接合した接合剤１２の厚さが、電極１０ｂとパッド９ｂとを接合した接合剤１２の厚さより大きく、かつ、電極１０ｃとパッド９ｃとを接合した接合剤１２の、電極１０ｃの単位面積あたりの体積Ｈｃが、電極１０ｂとパッド９ｂとを接合した接合剤１２の、電極１０ｂの単位面積あたりの体積Ｈｂより大きい状態で、電極１０ｃとパッド９ｃとを接合した接合剤１２、ならびに、電極１０ｂとパッド９ｂとを接合した接合剤１２の双方について、より良好な接合状態が得られる。
【００３６】
また、本実施形態では、電極１０ｂが基板対向面１０ａから突出しているため、接合剤１２が電極１０ｂの側面に回り込むことができ、接合強度（耐久性、耐衝撃性等）を向上することができる。
【００３７】
また、本発明は上記実施形態には限定されず、種々の変形が可能である。例えば、図７に示すように、電極１０ｂのみならず、電極１０ｃも、基板対向面１０ａから突出した構成とすることができる。この場合、電極１０ｃが基板対向面１０ａから突出しているため、接合剤１２が電極１０ｃの側面に回り込むことができ、電極１０ｃとパッド９ｃとを接合した接合剤１２の接合強度（耐久性、耐衝撃性等）も向上することができる。
【００３８】
また、電極１０ｃのレイアウトや、数、大きさ、形状等は種々に変更することができる。例えば、図８に示すように、電極１０ｃは、電極１０ｂの周囲に環状に複数列配置されうる。このような構成でも、上記実施形態と同様の効果が得られる。
【００３９】
また、例えば、図９，１０に示すように、パッド９ｂは、基板９の表面９ａ上では相互に隔離された複数のパッド部９ｆを有することができる。これらパッド部９ｆは、相互に電気的に接続されており、一つのパッド９ｂ（すなわち、放熱電極およびグラウンド電極）として機能する。パッド部９ｆは、パッド９ｂの表面側に例えばソルダレジスト等を塗布する等により、分割することができる。また、一例としては、複数のパッド部９ｆは、図１０に示すように、アレイ状に配置されうる。パッド９ｂが複数のパッド部９ｆを有する構成によれば、パッド９ｂの面積をより小さくすることができる分、電極１０ｂとパッド９ｂとを接合する接合剤１２が濡れ広がる力を小さくできることと、濡れ広がり領域を制限できることから、部品１０のずれや傾きを抑制することができ、電極１０ｂとパッド９ｂおよび電極１０ｃとパッド９ｃとの間の接合剤１２を介しての接合状態がより向上しやすくなる。
【００４０】
また、上記各実施形態では、本発明にかかる電子機器が、ノート型のパーソナルコンピュータとして実施された構成を例示したが、本発明にかかる電子機器は、上述した所謂ノート型のパーソナルコンピュータ以外の電子機器（例えば、所謂デスクトップ型のパーソナルコンピュータの本体部、ＨＤＤ（Hard Disk Drive）、ＰＤＡ（Personal Digital Assistant）、スマートブック、スマートフォン、携帯電話端末、表示装置、テレビジョン装置等）として実施することも可能である。
【００４１】
また、第二のパッドが第一のパッドより部品側に突出した構成によっても、第一の電極と第一のパッドとの間の距離が、第二の電極と第二のパッドとの間の距離より大きい状態を得ることができる。このような構成でも、第一の電極と第一のパッドとを接合した接合剤の厚さを、第二の電極と第二のパッドとを接合した接合剤の厚さより大きくすることができるとともに、第一の電極と第一のパッドとを接合した接合剤の第一の電極の単位面積あたりの体積を、第二の電極と第二のパッドとを接合した接合剤の第二の電極の単位面積あたりの体積より大きくすることができる。したがって、上記実施形態と同様の効果が得られる。また、第二のパッドが第一のパッドより部品側に突出するとともに、第二の電極が第一の電極より基板側に突出する構成でも、同様の効果を得ることができる。
【００４２】
また、電子機器や、筐体、基板アセンブリ、基板、部品、電極、パッド、パッド部、接合剤、表面、等のスペック（構造や、形状、材質、大きさ、長さ、幅、厚さ、数、配置、位置等）は、適宜変更して実施することができる。
【００４３】
本発明の実施形態および変形例によれば、部品が基板上により良好な状態で接合された電子機器、基板アセンブリ、および半導体装置を得ることができる。
【符号の説明】
【００４４】
１…電子機器、９…基板、９ａ…表面、９ｂ…パッド（第二のパッド）、９ｃ…パッド（第一のパッド）、９ｆ…パッド部、１０…部品（半導体装置）、１０ａ…基板対向面、１０ｂ…電極（第二の電極、放熱電極、グラウンド電極）、１０ｃ…電極（第一の電極、信号電極）、１１…基板アセンブリ、１２…接合剤。
【図１】
2012064721.tif 000003
【図２】
2012064721.tif 000004
【図３】
2012064721.tif 000005
【図４】
2012064721.tif 000006
【図５】
2012064721.tif 000007
【図６】
2012064721.tif 000008
【図７】
2012064721.tif 000009
【図８】
2012064721.tif 000010
【図９】
2012064721.tif 000011
【図１０】
2012064721.tif 000012
【手続補正書】
【提出日】平成23年9月16日(2011.9.16)
【手続補正１】
【補正対象書類名】特許請求の範囲
【補正対象項目名】全文
【補正方法】変更
【補正の内容】
【特許請求の範囲】
【請求項１】
筐体と、
前記筐体内に設けられ、第一面とこの第一面の反対側の第二面とを有し、前記第一面および前記第二面のうち一方に露出した第一パッドおよび第二パッドを有した基板と、
前記一方に対向した第三面を有し、当該第三面に露出して接合剤を介して前記第一パッドに接合された第一電極と、前記第三面に露出して接合剤を介して前記第二パッドに接合されて前記第一電極より高く突出した第二電極と、を有した部品と、
を備え、
前記第一電極と前記第一パッドとを接合した接合剤の、当該接合剤が接合された前記第一電極の単位面積あたりの体積が、前記第二電極と前記第二パッドとを接合した接合剤の、当該接合剤が接合された前記第二電極の単位面積あたりの体積より大きい、電子機器。
【請求項２】
筐体と、
前記筐体内に設けられ、第一パッドおよび第二パッドを有した基板と、
接合剤を介して前記第一パッドと接合された第一電極と、接合剤を介して前記第二パッドと接合されて前記第一電極より前記基板側に突出した第二電極と、を有した部品と、
を備え、
前記第一電極と前記第一パッドとの間に前記接合剤が位置する領域は、前記第二電極と前記第二パッドとの間の前記接合剤が位置する領域よりも狭い、電子機器。
【請求項３】
筐体と、
前記筐体内に設けられ、第一パッドおよび第二パッドを有した面を含む基板と、
接合剤を介して前記第一パッドと電気的に接続された第一電極と、接合剤を介して前記第二パッドと電気的に接続されるとともに前記接合剤に接した部分が前記第一電極の前記接合剤に接した部分より前記基板の面に寄って位置した第二電極と、を有した部品と、
を備えた電子機器。
【請求項４】
前記第一電極と前記第一パッドとを接合した前記接合剤の厚さが、前記第二電極と前記第二パッドとを接合した前記接合剤の厚さより大きい、請求項１〜３のうちいずれか一つに記載の電子機器。
【請求項５】
前記第二パッドが、相互に隔離された複数のパッド部を有した、請求項１〜４のうちいずれか一つに記載の電子機器。
【請求項６】
前記第一電極および前記第二電極が、前記第三面から突出した、請求項１に記載の電子機器。
【請求項７】
前記第一電極が信号電極であり、かつ前記第二電極が放熱電極である、請求項１〜６のうちいずれか一つに記載の電子機器。
【請求項８】
前記第一電極と前記第二電極との突出高さの差を、ΔＨとし、
前記第一電極と前記第一パッドとを接合した接合剤の、当該接合剤が接合された前記第一電極の単位面積あたりの体積を、Ｈｃとし、
前記第二電極と前記第二パッドとを接合した接合剤の、当該接合剤が接合された前記第二電極の単位面積あたりの体積を、Ｈｂとしたとき、
０．５（Ｈｃ−Ｈｂ）＜ ΔＨ ＜１．５（Ｈｃ−Ｈｂ）
である、請求項１〜７のうちいずれか一つに記載の電子機器。
【請求項９】
前記第一電極とこれに前記接合剤を介して接合された前記第一パッドとの間の第一距離が、前記第二電極とこれに前記接合剤を介して接合された前記第二パッドとの間の第二距離より大きい、請求項１〜８のうちいずれか一つに記載の電子機器。
【請求項１０】
第一面とこの第一面の反対側の第二面とを有し、前記第一面および前記第二面のうち一方に露出した第一パッドおよび第二パッドを有した基板と、
前記一方に対向した第三面を有し、当該第三面に露出して接合剤を介して前記第一パッドに接合された第一電極と、前記第三面に露出して接合剤を介して前記第二パッドに接合されて前記第一電極より高く突出した第二電極と、を有した部品と、
を備え、
前記第一電極と前記第一パッドとを接合した接合剤の、当該接合剤が接合された前記第一電極の単位面積あたりの体積が、前記第二電極と前記第二パッドとを接合した接合剤の、当該接合剤が接合された前記第二電極の単位面積あたりの体積より大きい、基板アセンブリ。
【手続補正３】
【補正対象書類名】明細書
【補正対象項目名】０００１
【補正方法】変更
【補正の内容】
【０００１】
本発明の実施形態は、電子機器および基板アセンブリに関する。
【手続補正４】
【補正対象書類名】明細書
【補正対象項目名】０００５
【補正方法】変更
【補正の内容】
【０００５】
そこで、本発明の実施形態は、部品が基板上により良好な状態で接合された電子機器および基板アセンブリを得ることを目的の一つとする。
【手続補正５】
【補正対象書類名】明細書
【補正対象項目名】０００６
【補正方法】変更
【補正の内容】
【０００６】
本発明の実施形態にかかる電子機器にあっては、筐体と、前記筐体内に設けられ、第一面とこの第一面の反対側の第二面とを有し、前記第一面および前記第二面のうち一方に露出した第一パッドおよび第二パッドを有した基板と、前記一方に対向した第三面を有し、当該第三面に露出して接合剤を介して前記第一パッドに接合された第一電極と、前記第三面に露出して接合剤を介して前記第二パッドに接合されて前記第一電極より高く突出した第二電極と、を有した部品と、を備え、前記第一電極と前記第一パッドとを接合した接合剤の、当該接合剤が接合された前記第一電極の単位面積あたりの体積が、前記第二電極と前記第二パッドとを接合した接合剤の、当該接合剤が接合された前記第二電極の単位面積あたりの体積より大きい。
【手続補正書】
【提出日】平成24年1月23日(2012.1.23)
【手続補正１】
【補正対象書類名】特許請求の範囲
【補正対象項目名】全文
【補正方法】変更
【補正の内容】
【特許請求の範囲】
【請求項１】
筐体と、
前記筐体内に設けられ、第一面とこの第一面の反対側の第二面とを有し、前記第一面および前記第二面のうち一方に露出した第一パッドおよび第二パッドを有した基板と、
前記一方に対向した第三面を有し、当該第三面に露出して接合剤を介して前記第一パッドに接合された第一電極と、前記第三面に露出して接合剤を介して前記第二パッドに接合されて前記第一電極より高く突出した第二電極と、を有した部品と、
を備え、
前記第一電極と前記第一パッドとを接合した接合剤の、当該接合剤が接合された前記第一電極の単位面積あたりの体積が、前記第二電極と前記第二パッドとを接合した接合剤の、当該接合剤が接合された前記第二電極の単位面積あたりの体積より大きい、電子機器。
【請求項２】
筐体と、
前記筐体内に設けられ、第一パッドおよび第二パッドを有した基板と、
接合剤を介して前記第一パッドと接合された第一電極と、接合剤を介して前記第二パッドと接合されて前記第一電極より前記基板側に突出した第二電極と、を有した部品と、
を備え、
前記第一電極と前記第一パッドとの間に位置される前記第一電極の単位面積あたりの前記接合剤の量は、前記第二電極と前記第二パッドとの間に位置されて濡れ広がる前記第二電極の単位面積あたりの前記接合剤の量より多い、電子機器。
【請求項３】
前記第一電極と前記第一パッドとを接合した前記接合剤の厚さが、前記第二電極と前記第二パッドとを接合した前記接合剤の厚さより大きい、請求項１または２に記載の電子機器。
【請求項４】
前記第二パッドが、相互に隔離された複数のパッド部を有した、請求項１〜３のうちいずれか一つに記載の電子機器。
【請求項５】
前記第一電極および前記第二電極が、前記第三面から突出した、請求項１に記載の電子機器。
【請求項６】
前記第一電極が信号電極であり、かつ前記第二電極が放熱電極である、請求項１〜５のうちいずれか一つに記載の電子機器。
【請求項７】
前記第一電極と前記第二電極との突出高さの差を、ΔＨとし、
前記第一電極と前記第一パッドとを接合した接合剤の、当該接合剤が接合された前記第一電極の単位面積あたりの体積を、Ｈｃとし、
前記第二電極と前記第二パッドとを接合した接合剤の、当該接合剤が接合された前記第二電極の単位面積あたりの体積を、Ｈｂとしたとき、
０．５（Ｈｃ−Ｈｂ）＜ ΔＨ ＜１．５（Ｈｃ−Ｈｂ）
である、請求項１〜６のうちいずれか一つに記載の電子機器。
【請求項８】
前記第一電極とこれに前記接合剤を介して接合された前記第一パッドとの間の第一距離が、前記第二電極とこれに前記接合剤を介して接合された前記第二パッドとの間の第二距離より大きい、請求項１〜７のうちいずれか一つに記載の電子機器。
【請求項９】
第一面とこの第一面の反対側の第二面とを有し、前記第一面および前記第二面のうち一方に露出した第一パッドおよび第二パッドを有した基板と、
前記一方に対向した第三面を有し、当該第三面に露出して接合剤を介して前記第一パッドに接合された第一電極と、前記第三面に露出して接合剤を介して前記第二パッドに接合されて前記第一電極より高く突出した第二電極と、を有した部品と、
を備え、
前記第一電極と前記第一パッドとを接合した接合剤の、当該接合剤が接合された前記第一電極の単位面積あたりの体積が、前記第二電極と前記第二パッドとを接合した接合剤の、当該接合剤が接合された前記第二電極の単位面積あたりの体積より大きい、基板アセンブリ。